【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
内燃機関（１２）の回転軸に連結されるロータコア（２２）の内面に、界磁を提供する永久磁石（２３）が配置されたロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）を有するステータ（３１）と、
前記ステータの径方向外側縁より径方向内側に配置され、前記ステータコアと前記ボディとを前記ステータの周方向に関して連結することにより、前記ボディに対する周方向に関する前記ステータコアの位置を規定する周方向連結部（８１）とを備え、
さらに、前記ステータコアに形成され、前記ステータを前記ボディに固定するための固定ボルトを受け入れるための貫通穴（３２ｄ）を有し、
前記周方向連結部が許容する周方向に関する前記ステータコアの可動角度は、前記固定ボルトと前記貫通穴とが許容する前記ステータコアの可動角度より小さいことを特徴とする内燃機関用回転電機。
【請求項２】
前記周方向連結部は、
前記ボディに設けられたボディ穴（９２）と前記ステータコアに設けられたコア穴（９３、９９３）とに挿入されたピン（９１）を有することを特徴とする請求項１に記載の内燃機関用回転電機。
【請求項３】
前記ステータの径方向における前記コア穴（９９３）の幅（ＲＷ）は、前記ステータの周方向における前記コア穴の幅（ＣＷ）より大きいことを特徴とする請求項２に記載の内燃機関用回転電機。
【請求項４】
内燃機関（１２）の回転軸に連結されるロータコア（２２）の内面に、界磁を提供する永久磁石（２３）が配置されたロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）を有するステータ（３１）と、
前記ステータの径方向外側縁より径方向内側に配置され、前記ステータコアと前記ボディとを前記ステータの周方向に関して連結することにより、前記ボディに対する周方向に関する前記ステータコアの位置を規定する周方向連結部（８１）とを備え、
前記周方向連結部は、
前記ボディに設けられたボディ穴（９２）と前記ステータコアに設けられたコア穴（９３、９９３）とに挿入されたピン（９１）を有し、
前記ステータの径方向における前記コア穴（９９３）の幅（ＲＷ）は、前記ステータの周方向における前記コア穴の幅（ＣＷ）より大きいことを特徴とする内燃機関用回転電機。
【請求項５】
前記コア穴は、前記ステータの軸方向に関して底を有する非貫通穴であることを特徴とする請求項２から請求項４のいずれかに記載の内燃機関用回転電機。
【請求項６】
さらに、前記ステータの径方向外側縁より径方向内側に配置され、前記ステータコアと前記ボディとを前記ステータの径方向に関して連結することにより径方向に関する前記ステータコアの位置を規定する径方向連結部（７１）を備えることを特徴とする請求項１から請求項５のいずれかに記載の内燃機関用回転電機。
【請求項７】
前記径方向連結部は、
前記ステータコアと前記ボディとの一方に設けられ、筒状内面を提供する内胴部（７２ａ、７２ｂ、７２ｃ、７４ａ、７４ｂ、７４ｃ、７７）、および
前記ステータコアと前記ボディとの他方に設けられ、前記筒状内面に対向して位置する筒状外面を提供するとともに、前記内胴部の中に挿入される軸方向突出部（７３ａ、７３ｂ、７３ｃ、７５ａ、７５ｂ、７５ｃ、７６）を有することを特徴とする請求項６に記載の内燃機関用回転電機。
【請求項８】
前記周方向連結部は、
前記軸方向突出部に形成され、前記軸方向突出部の周方向端部に第１の端面（８４）を形成する切欠部（８３ａ、８３ｂ、８３ｃ、８７ａ、８７ｂ、８７ｃ、８８）、および
前記筒状内面から径方向内側に向けて突出するように前記内胴部に設けられ、周方向の端部に第２の端面（８５）を形成し、前記切欠部の中に挿入される径方向突出部（８２ａ、８２ｂ、８３ｃ、８６ａ、８６ｂ、８６ｃ、８９）を有することを特徴とする請求項７に記載の内燃機関用回転電機。
【請求項９】
前記切欠部と前記径方向突出部とは、前記ステータの中心に対して非対称に配置されていることを特徴とする請求項８に記載の内燃機関用回転電機。
【請求項１０】
前記周方向連結部は、前記ステータコアと前記ボディとを凹部と凸部とにおいて直接的に噛み合わせることによって提供されていることを特徴とする請求項１から請求項９のいずれかに記載の内燃機関用回転電機。
【請求項１１】
前記周方向連結部は、
前記ステータの周方向における唯一の位置において前記ステータコアと前記ボディとの連結を許容する噛み合い部を有することを特徴とする請求項１から請求項１０のいずれかに記載の内燃機関用回転電機。
【請求項１２】
前記ステータは、前記ロータが所定の回転位置にあるときに点火制御用の信号を出力するための回転位置センサ（４３）を備えることを特徴とする請求項１から請求項１１のいずれかに記載の内燃機関用回転電機。
【手続補正２】
【補正対象書類名】明細書
【補正対象項目名】００１０
【補正方法】変更
【補正の内容】
【００１０】
開示される発明のひとつにより、内燃機関用回転電機が提供される。内燃機関用回転電機は、内燃機関（１２）の回転軸に連結されるロータコア（２２）の内面に、界磁を提供する永久磁石（２３）が配置されたロータ（２１）と、内燃機関（１２）のボディ（１３）に固定されることによってロータの内側に配置され、永久磁石と対向する複数の磁極（３２ａ）を径方向外側に形成するステータコア（３２）を有するステータ（３１）と、ステータの径方向外側縁より径方向内側に配置され、ステータコアとボディとをステータの周方向に関して連結することにより、ボディに対する周方向に関するステータコアの位置を規定する周方向連結部（８１）とを備え、さらに、ステータコアに形成され、ステータをボディに固定するための固定ボルトを受け入れるための貫通穴（３２ｄ）を有し、周方向連結部が許容する周方向に関するステータコアの可動角度は、固定ボルトと貫通穴とが許容するステータコアの可動角度より小さいことを特徴とする。
【手続補正３】
【補正対象書類名】明細書
【補正対象項目名】００１１
【補正方法】変更
【補正の内容】
【００１１】
この発明によると、周方向連結部によって、ステータコアの周方向に関する位置が規定される。周方向連結部は、ステータの径方向外側縁よりも径方向内側に配置されている。よって、ステータの影になる部分に周方向連結部が配置される。これにより、ステータの円形範囲内で、周方向に関するステータの位置を規定できる。
開示される発明のひとつにより、内燃機関用回転電機が提供される。内燃機関用回転電機は、内燃機関（１２）の回転軸に連結されるロータコア（２２）の内面に、界磁を提供する永久磁石（２３）が配置されたロータ（２１）と、内燃機関（１２）のボディ（１３）に固定されることによってロータの内側に配置され、永久磁石と対向する複数の磁極（３２ａ）を径方向外側に形成するステータコア（３２）を有するステータ（３１）と、ステータの径方向外側縁より径方向内側に配置され、ステータコアとボディとをステータの周方向に関して連結することにより、ボディに対する周方向に関するステータコアの位置を規定する周方向連結部（８１）とを備え、周方向連結部は、ボディに設けられたボディ穴（９２）とステータコアに設けられたコア穴（９３、９９３）とに挿入されたピン（９１）を有し、ステータの径方向におけるコア穴（９９３）の幅（ＲＷ）は、ステータの周方向におけるコア穴の幅（ＣＷ）より大きいことを特徴とする。